(57)【特許請求の範囲】
【請求項１】
第一吐水孔から第一の吐水形態を吐水し、第二吐水孔から第二の吐水形態を吐水し、第三吐水孔から使用者の頭上へと第三の吐水形態を吐水する吐水装置であって、
前記いずれかの吐水形態を選択可能である吐水形態選択部材と、
前記第一吐水孔と前記第二吐水孔と前記第三吐水孔とが接続され前記吐水形態選択部材の選択に応じて前記第一吐水孔と前記第二吐水孔と前記第三吐水孔とのいずれかと連通して流路を形成する流路形成部材とを備え、
前記吐水形態選択部材が、前記第一吐水孔と前記第二吐水孔と前記第三吐水孔とのいずれからも吐水されていない止水状態において前記第三の吐水形態の選択を禁止する禁止手段を有していると共に、
前記吐水形態選択部材により前記止水状態から前記第一の吐水形態または前記第二の吐水形態が選択された後に、前記禁止手段による禁止が解除されるよう構成され、
前記吐水形態選択部材が、回転操作により前記第一の吐水形態または前記第二の吐水形態を選択し、前記回転操作の回転軸に沿った進退操作により前記第三の吐水形態を選択する操作ハンドルであり、
前記流路形成部材が、前記操作ハンドルの前記回転操作により前記第一吐水孔および前記第二吐水孔への給水を制御する回動弁と、前記操作ハンドルの進退操作により前記第三吐水孔への給水を制御する直動弁とを備え、
前記流路形成部材が、前記操作ハンドルの内周に挿入される挿入部を有し前記回動弁および前記直動弁を収納するケーシングを備え、
前記操作ハンドルが、前記挿入部の外周に設けられた突起と前記進退操作で当接して前記禁止手段を形成する凸部を前記操作ハンドルの内周面に備え、
前記止水状態において前記凸部と当接していた前記突起が、前記操作ハンドルの前記回転操作により前記凸部と離隔することを特徴とする吐水装置。
【請求項２】
前記ケーシングが、内部に水を供給する給水孔を有しており、
前記回動弁が、前記給水孔から供給された水の流入口を有し、
前記操作ハンドルを進退操作して前記第三の吐水形態を選択した際に前記直動弁が、前記流入口を封止することを特徴とする請求項１に記載の吐水装置。
【発明の詳細な説明】
【技術分野】
【０００１】
本発明は、３種類の吐水形態を有する吐水装置に関する。
【背景技術】
【０００２】
３つ以上の吐水口を有し、３種類の吐水形態を有する浴室用途の吐水装置として、開閉弁、切替弁もしくは流量調節弁のいずれか２つ以上が連通した吐水装置が知られている（例えば、特許文献１参照）。
【先行技術文献】
【特許文献】
【０００３】
【特許文献１】特開２００４−１３１９７５号公報
【発明の概要】
【発明が解決しようとする課題】
【０００４】
このような特許文献１に記載されている吐水装置は、温度調整ハンドルとハンドシャワー用流量調整ハンドル、オーバーヘッドシャワー用流量調整ハンドル等が別体で構成されていることにより、目的に応じて異なるハンドルを操作するため、使い勝手が優れなかった。
さらに、特許文献１に記載されている吐水装置は、止水時からオーバーヘッドシャワーによる吐水を行えるため、オーバーヘッドシャワーによる使用者の頭上へ吐水開始時に使用者が望まない温度の水が予期せずに吐水されてしまう問題があった。
【０００５】
そこで、本発明は、前述したような従来技術の問題を解決するものであって、すなわち、本発明の目的の一つは、吐水開始時に使用者の頭上へ予期しない温度の水が予期せずに吐水されることを抑制すると共に、使い勝手の優れた吐水装置を提供することである。
【課題を解決するための手段】
【０００６】
請求項１に係る発明は、第一吐水孔から第一の吐水形態を吐水し、第二吐水孔から第二の吐水形態を吐水し、第三吐水孔から使用者の頭上へと第三の吐水形態を吐水する吐水装置であって、前記いずれかの吐水形態を選択可能である吐水形態選択部材と、前記第一吐水孔と前記第二吐水孔と前記第三吐水孔とが接続され前記吐水形態選択部材の選択に応じて前記第一吐水孔と前記第二吐水孔と前記第三吐水孔とのいずれかと連通して流路を形成する流路形成部材とを備え、前記吐水形態選択部材が、前記第一吐水孔と前記第二吐水孔と前記第三吐水孔とのいずれからも吐水されていない止水状態において前記第三の吐水形態の選択を禁止する禁止手段を有していると共に、前記吐水形態選択部材により前記止水状態から前記第一の吐水形態または前記第二の吐水形態が選択された後に、前記禁止手段による禁止が解除されよう構成され、前記吐水形態選択部材が、回転操作により前記第一の吐水形態および前記第二の吐水形態を選択し、前記回転操作の回転軸に沿った進退操作により前記第三の吐水形態を選択する操作ハンドルであることにより、前述した課題を解決するものである。
【０００７】
本請求項１に係る発明の吐水装置によれば、第一吐水孔と第二吐水孔と第三吐水孔とを備えていることにより、使用者の頭上への吐水やそれ以外の使用者の意図する部分への吐水などの様々な吐水形態を提供することができるばかりでなく、吐水形態選択部材が、第一吐水孔と第二吐水孔と第三吐水孔とのいずれからも吐水されていない止水状態から第三の吐水形態の選択を禁止する禁止手段を有していると共に、吐水形態選択部材により止水状態から第一の吐水形態または第二の吐水形態が選択された後に、禁止手段による禁止が解除されることにより、吐水形態選択部材の禁止手段が第一吐水孔と第二吐水孔と第三吐水孔とのいずれからも吐水されていない止水状態において第三の吐水形態による吐水を禁止し、吐水形態選択部材により第一の吐水形態または第二の吐水形態による吐水が選択された後に禁止手段を解除して第三の吐水形態による吐水を行うため、流路形成部材内に残留していた冷水が第一吐水孔または第二吐水孔から排出され、吐水開始時の使用者の頭上へ予期しない温度の水が予期せずに吐水されることを抑制することができる。
さらに、1つの吐水形態選択部材がいずれかの吐水形態を選択可能であることにより、吐水形態選択部材の操作によって第一の吐水形態と第二の吐水形態と第三の吐水形態とを切り替えるため、複数の吐水形態選択部材により吐水形態を選択する場合に比べて使い勝手の優れた吐水装置を提供することができる。
また、吐水形態選択部材が、回転操作により第一の吐水形態および第二の吐水形態を選択し、回転操作の回転軸に沿った進退操作により第三の吐水形態を選択する操作ハンドルであることにより、操作ハンドルへの動作のみで第一の吐水形態と、第二の吐水形態と、第三形態の吐水とを選択するため、吐水装置の使い勝手をさらに向上することができる。
【００１０】
本請求項３に係る発明は、請求項２に記載された吐水装置の構成に加えて、前記流路形成部材が、前記操作ハンドルの回転操作により前記第一吐水孔および前記第二吐水孔への給水を制御する回動弁と、前記操作ハンドルの進退操作により前記第三吐水孔への給水を制御する直動弁とを備えていることにより、前述した課題を解決するものである。
【００１１】
本請求項３に係る発明の吐水装置によれば、請求項２に係る発明が奏する効果に加えて、流路形成部材が、操作ハンドルの回転操作により第一吐水孔および第二吐水孔への給水を制御する回動弁と、操作ハンドルの進退操作により第三吐水孔への給水を制御する直動弁とを備えていることにより、第一吐水孔および第二吐水孔への給水制御動作と第三吐水孔への給水制御動作とが異なるため、第三の吐水形態に誤って切り替えて使用者の頭上へ予期しない温度の水が予期せずに吐水されることを抑制することができる。
【００１２】
本請求項４に係る発明は、請求項３に記載された吐水装置の構成に加えて、前記流路形成部材が、前記操作ハンドルの内周に挿入される挿入部を有し前記回動弁および前記直動弁を収納するケーシングを備え、前記操作ハンドルが、前記挿入部の外周に設けられた突起と前記進退操作で当接して前記禁止手段を形成する凸部を前記操作ハンドルの内周面に備え、前記止水状態において前記凸部と当接していた前記突起が、前記操作ハンドルの前記回転操作により前記凸部と離隔することにより、前述した課題を解決するものである。
【００１３】
本請求項４に係る発明の吐水装置によれば、請求項３に係る発明が奏する効果に加えて、操作ハンドルが、挿入部の外周に設けられた突起と進退方向で当接して禁止手段を形成する凸部を操作ハンドルの内周面に備えていることにより、止水状態において凸部と当接していた突起が操作ハンドルの回転操作により凸部と離隔し、操作ハンドルの進退操作で内周面を進退自在になるため、簡便な構造で止水状態から第一の吐水形態または第二の吐水形態が選択された後に凸部による禁止を解除し、直動弁を制御することができる。
【００１４】
本請求項５に係る発明は、請求項４に記載された吐水装置の構成に加えて、前記ケーシングが、内部に水を供給する給水孔を有しており、前記回動弁が、前記給水孔から供給された水の流入口を有し、前記操作ハンドルを進退操作して前記第三の吐水形態を選択した際に前記直動弁が、前記流入口を封止することにより、前述した課題を解決するものである。
【００１５】
本請求項５に係る発明の吐水装置によれば、請求項４に係る発明が奏する効果に加えて、操作ハンドルを進退操作して第三の吐水形態を選択した際に直動弁が、流入口を封止することにより、給水孔から第三の吐水孔へと連通する流路が形成されて、この流路内を水が流れるため、この流路内の水圧によって第三の吐水形態を維持することができる。
【発明の効果】
【００１６】
本発明により、使用者の頭上への吐水やそれ以外の使用者の意図する部部分への吐水などの様々な吐水形態を提供することができるばかりでなく、吐水開始時に使用者の頭上へ予期しない温度の水が予期せずに吐水されることを抑制すると共に、使い勝手の優れた吐水装置を提供することができる。
【図面の簡単な説明】
【００１７】
【図１】本発明の第１実施形態の吐水装置の外観斜視図。
【図２】本発明の第１実施形態の流路形成部材周辺の流路を示す図。
【図３】本発明の第１実施形態の操作ハンドルの正面図。
【図４】本発明の第１実施形態の止水状態における操作ハンドルおよび流路形成部材のＡ−Ａ断面図。
【図５】本発明の第１実施形態の止水状態における操作ハンドルおよび流路形成部材のＢ−Ｂ断面図。
【図６】本発明の第１実施形態の止水状態における操作ハンドルおよび、挿入部を除いた流路形成部材のＣ−Ｃ断面を示す斜視断面図。
【図７】本発明の第１実施形態の止水状態における操作ハンドルおよび流路形成部材のＣ−Ｃ断面を示す斜視断面図。
【図８】本発明の第１実施形態の第一の吐水形態における操作ハンドルおよび流路形成部材のＡ−Ａ断面図。
【図９】本発明の第１実施形態の第一の吐水形態における操作ハンドルおよび流路形成部材のＢ−Ｂ断面図。
【図１０】本発明の第１実施形態の第三の吐水形態における操作ハンドルおよび流路形成部材のＡ−Ａ断面図。
【発明を実施するための形態】
【００１８】
（第１実施形態）
図１は本発明の第１実施形態の吐水装置１００の外観斜視図である。
吐水装置１００は、冷水ＣＷを供給する冷水源ＣＷＳと、温水ＨＷを供給する温水源ＨＷＳと、吐水の温度調整を行う温調ハンドルＴＨと、吐水形態を選択する吐水形態選択部材である吐水ハンドル１４０と、使用者が把持して使用するハンドシャワーＨＳと、使用者の体の側面に吐水するボディシャワーＢＳと、使用者の頭上に吐水するオーバーヘッドシャワーＯＨＳとを備えている。
【００１９】
次に、吐水装置１００の流路について述べる。
冷水源ＣＷＳは冷水ＣＷを吐水装置１００に供給し、温水源ＨＷＳは温水ＨＷを吐水装置１００に供給する。
そして、冷水源ＣＷＳから供給された冷水ＣＷおよび温水源ＨＷＳから供給された温水ＨＷは、まず吐水装置１００の下方に設けられた温調ハンドルＴＨに供給される。
使用者が温調ハンドルＴＨを操作することにより、冷水ＣＷと温水ＨＷとが混合された湯水混合水ＭＷが生成される。
【００２０】
図２は本発明の第１実施形態の流路形成部材１５０周辺の流路を示す図である。
使用者が温調ハンドルＴＨを操作することにより生成された湯水混合水ＭＷは、操作ハンドル１４０と連結した流路形成部材１５０に供給される。
【００２１】
操作ハンドル１４０および流路形成部材１５０は、吐水装置１００の高さ方向中央付近に位置しており、連結軸１５３にて一体に連結されている。
そして、使用者が操作ハンドル１４０を操作することにより、連結軸１５３を介して流路形成部材１５０内の流路が切り替えられ、ハンドシャワーＨＳから吐水される第一の吐水形態と、ボディシャワーＢＳから吐水される第二の吐水形態と、オーバーヘッドシャワーＯＨＳから吐水される第三の吐水形態とを選択することができる。
【００２２】
図３は本発明の第１実施形態のカバーＣを外した状態の操作ハンドル１４０の正面図である。
止水状態から操作ハンドル１４０を左方向に回転させると第一の吐水形態となり、止水状態から操作ハンドル１４０を右方向に回転させると第二の吐水形態となる。
【００２３】
図４は本発明の第１実施形態の止水状態における操作ハンドル１４０および流路形成部材１５０のＡ−Ａ断面図であり、図５は本発明の第１実施形態の止水状態における操作ハンドル１４０および流路形成部材１５０のＢ−Ｂ断面図である。
【００２４】
操作ハンドル１４０は、中空の円筒形状であり、円筒状の操作ハンドル基部１４１と、この操作ハンドル基部１４１よりも直径が大きく使用者が把持する把持部１４２とにより外観を形成している。
【００２５】
流路形成部材１５０は、ケーシング１５１により、周面の一部が平坦面となっている中空の円柱形状の外観を形成している。
さらに、ケーシング１５１の前方には操作ハンドル１４０に挿入される挿入部１５４が形成されている。
【００２６】
ケーシング１５１は、温調ハンドルＴＨによって生成された湯水混合水ＭＷが供給される給水孔１５１ａが下方に形成されていると共に、給水孔１５１ａから流路形成部材１５０に流入した水をハンドシャワーＨＳに供給する第一通水孔１４１ｂが左方に、給水孔１５１ａから流路形成部材１５０に流入した水をボディシャワーＢＳに供給する第二通水孔１４１ｃが右方に、給水孔１５１ａから流路形成部材１５０に流入した水をオーバーヘッドシャワーＯＨＳに供給する第三通水孔１４１ｄが後方にそれぞれ形成されている。
【００２７】
さらにケーシング１５１内には、中空の円筒形状であり前方から後方にのびる回動弁１５２が挿入されている。
そして回動弁１５２には、側面に円形の開口１５２ｂが二つ、後方側にはケーシング１５１の給水孔１５１ａから流路形成部材１５０内に流入した水が流入する流入口１５２ａがそれぞれ形成されている。
【００２８】
また、操作ハンドル１４０と流路形成部材１５０とは、回動弁１５２内を貫通する円柱状の連結軸１５３で連結されている。
そして連結軸１５３が、操作ハンドル１４０および流路形成部材１５０から脱落しないように、操作ハンドル１４０と連結軸１５３との間、および流路形成部材１５０と連結軸１５３との間でそれぞれ円柱状の抜け止めピン１５３ａが挿入されている。
【００２９】
さらに連結軸１５３の後方には、算盤玉形状の直動弁１５３ｂが設けられており、ケーシング１５１の後方に設けられた第三通水孔１５１ｄを閉止することができる。
【００３０】
次に、操作ハンドル１４０と流路形成部材１５０との連結構造について、図６および図７を用いて説明する。
図６は、本発明の第１実施形態の止水状態における操作ハンドル１４０および、挿入部１５４を除いた流路形成部材１５０のＣ−Ｃ断面を示す斜視断面図であり、図７は本発明の第１実施形態の止水状態における操作ハンドル１４０および流路形成部材１５０のＣ−Ｃ断面を示す斜視断面図である。
【００３１】
操作ハンドル１４０の内周面の左方には凸部１４３が操作ハンドル１４０の軸方向に形成されている。
そして、挿入部１５４には、挿入部１５４の外周面から突出した突起１５４ａが設けられており、止水状態においては突起１５４ａが凸部１４３の前方の端面である凸部接触面１４３ａと軸方向で当接している。
【００３２】
また、操作ハンドル１４０は使用者の操作により回転軸Ｐを中心に回動する。操作ハンドル１４０が回動すると、凸部１４３も操作ハンドル１４０の回動に伴い回動するため、凸部接触面１４３ａと突起１５４ａとが離間する。
【００３３】
続いて、図４乃至図１０に基づいて、本発明の第１実施形態の吐水装置１００における動作について説明する。
【００３４】
まず図４および図５より、本発明の第１実施形態における吐水装置１００の止水状態について説明する。
【００３５】
温調ハンドルＴＨにより温度調節された湯水混合水ＭＷが、給水孔１５１ａから流路形成部材１５０に流入する。
そして直動便１５３が第三通水孔１５１ｄを閉塞していることにより、湯水混合水ＭＷは流入口１５２ａに流入する。
【００３６】
このとき、止水状態において回動弁１５２に設けられた開口１５２ｂは第一通水孔１５１ｂおよび第二通水孔１５１ｃと連通していないため、湯水混合水ＭＷは回動弁１５２内に貯留される。
【００３７】
なお、止水状態において操作ハンドル１４０の凸部１４３が、流路形成部材１５０の突起１５４ａと凸部接触面１４３ａとが軸方向で当接しているため、操作ハンドル１４０前方に引き出して第三の吐水状態を選択することができない。
すなわち、凸部１４３が第三の吐水手段の選択を禁止する禁止手段である。
【００３８】
次に図３、図８および図９より、本発明の第１実施形態における吐水装置１００の第一の吐水形態について説明する。
【００３９】
止水状態において、操作ハンドル１４０を左に回すと第一の吐水状態が選択される。
【００４０】
このとき、温調ハンドルＴＨにより温度調節された湯水混合水ＭＷが、給水孔１５１ａから流路形成部材１５０に流入する。
そして直動便１５３が第三通水孔１５１ｄを閉塞していることにより、湯水混合水ＭＷは流入口１５２ａに流入する。
【００４１】
第一の吐水形態が選択された状態において、操作ハンドル１４０が止水状態から回転された状態であるため、回動弁１５２に設けられた開口１５２ｂが第一通水孔１５１ｂと連通する。
これにより、給水孔１５１ａから流入した湯水混合水ＭＷが開口１５２ｂおよび第一通水孔１５１ｂを通り、第一吐水孔１１０から吐水される。
【００４２】
また、第一の吐水形態を選択した際に、操作ハンドル１４０が左に回されていることにより、操作ハンドル１４０の凸部１４３が、流路形成部材１５０の突起１５４ａと凸部接触面１４３ａで当接しない。
これにより、操作ハンドル１４０の進退動作の規制が解除されるため、凸部１４３を含む操作ハンドル１４０前方に引き出して第三の吐水状態を選択することができる状態になっている。
すなわち、操作ハンドル１４０により止水状態から第一の吐水形態が選択されると、凸部１４３による第三の吐水形態の選択の禁止が解除される。
【００４３】
なお、第二の吐水状態については、吐水状態において操作ハンドル１４０を右に回すことで選択される吐水状態であり、操作ハンドル１４０を右に回すことで開口１５２ｂが第二通水孔１５１ｃと連通する。
これにより、給水孔１５１ａから流入した湯水混合水ＭＷが開口１５２ｂおよび第二連通孔１５１ｃを通り、第二吐水孔１２０から使用者の体の側面に吐水される。
【００４４】
また、第二の吐水形態についても、操作ハンドル１４０が右に回されていることにより、操作ハンドル１４０の凸部１４３が、流路形成部材１５０の突起１５４ａと凸部接触面１４３ａで当接しない。
これにより、操作ハンドル１４０の進退動作の規制が解除されるため、凸部１４３を含む操作ハンドル１４０前方に引き出して第三の吐水状態を選択することができる状態になっている。
すなわち、操作ハンドル１４０により止水状態から第二の吐水形態が選択されると、凸部１４３による第三の吐水形態の選択の禁止が解除される。
【００４５】
次に図１０より、本発明の第１実施形態における吐水装置１００の第三の吐水形態について説明する。
【００４６】
第一の吐水形態および第二の吐水形態において、操作ハンドル１４０を前方へ引き出すと第三の吐水状態が選択される。
【００４７】
このとき、操作ハンドル１４０の前方の引き出しに伴い、抜け止めピン１５３ａにより連結軸１５３も前方に引き出される。
そして、連結軸１５３の前方への進出に伴い、直動弁１５３ｂも前方へ進出し、回動弁１５２に設けられた流入口１５２ａを封止する。
【００４８】
この状態で温調ハンドルＴＨにより温度調節された湯水混合水ＭＷが、給水孔１５１ａから流路形成部材１５０に流入する。
そして、直動便１５３が流入口１５２ａを封止していることにより、湯水混合水ＭＷは第三通水孔１５１ｄに流入する。
第三通水孔１５１ｄへ流入した湯水混合水ＭＷは、第三吐水孔１３０から使用者の頭上へと吐水される。
【００４９】
なお、第三の吐水形態を使用者が選択した時、湯水混合水ＭＷが流路形成部材１５０内を満たしているため、使用者が操作ハンドル１４０から手を離したとしても、湯水混合水ＭＷの水圧により直動便１５３が流入口１５２ａを封止し続けることができる。
【００５０】
このようにして得られた本発明の第１実施形態の吐水装置１００は、第一吐水孔１１０と第二吐水孔１２０と第三吐水孔１３０とを備えていることにより、使用者の頭上への吐水やそれ以外の使用者の意図する部分への吐水などの様々な吐水形態を提供することができるばかりでなく、吐水形態選択部材である操作ハンドル１４０が、第一吐水孔１１０と第二吐水孔１２０と第三吐水孔１３０とのいずれからも吐水されていない止水状態から第三の吐水形態の選択を禁止する禁止手段である凸部１４３を有していると共に、操作ハンドル１４０により止水状態から第一の吐水形態または第二の吐水形態が選択された後に、凸部１４３による禁止が解除されることにより、操作ハンドル１４０の凸部１４３が第一吐水孔１１０と第二吐水孔１２０と第三吐水孔１３０とのいずれからも吐水されていない止水状態において第三の吐水形態による吐水を禁止し、操作ハンドル１４０により第一の吐水形態または第二の吐水形態による吐水が選択された後に凸部１４３を解除して第三の吐水形態による吐水を行うため、流路形成部材１５０内に残留していた冷水が第一吐水孔１１０または第二吐水孔１２０から排出され、吐水開始時の使用者の頭上へ予期しない温度の水が予期せずに吐水されることを抑制することができる。
さらに、1つの操作ハンドル１４０がいずれかの吐水形態を選択可能であることにより、操作ハンドル１４０の操作によって第一の吐水形態と第二の吐水形態と第三の吐水形態とを切り替えるため、使い勝手の優れた吐水装置１００を提供することができる。
【００５１】
さらに、回転操作により第一の吐水形態および第二の吐水形態を選択し、回転操作の回転軸に沿った進退操作により第三の吐水形態を選択する操作ハンドル１４０があることにより、操作ハンドル１４０への動作のみで第一の吐水形態と、第二の吐水形態と、第三形態の吐水とを選択するため、吐水装置１００の使い勝手をさらに向上することができる。
【００５２】
さらに、流路形成部材１５０が、操作ハンドル１４０の回転操作により第一吐水孔１１０および第二吐水孔１２０への給水を制御する回動弁１５２と、操作ハンドル１４０の進退操作により第三吐水孔１３０への給水を制御する直動弁１５３ｂとを備えていることにより、第一吐水孔１１０および第二吐水孔１２０への給水制御動作と第三吐水孔１３０への給水制御動作とが異なるため、第三の吐水形態に誤って切り替えて使用者の頭上へ予期しない温度の水が予期せずに吐水されることを抑制することができる。
【００５３】
さらに、操作ハンドル１４０が、挿入部１５４の外周に設けられた突起１５４ａと進退方向で当接する凸部１４３を操作ハンドル１４０の内周面に備えていることにより、止水状態において凸部１４３と当接していた突起１５４ａが操作ハンドル１４０の回転操作により凸部１４３と離隔し、操作ハンドル１４０の進退操作で内周面を進退自在になるため、簡便な構造で止水状態から第一の吐水形態または第二の吐水形態が選択された後に凸部１４３による禁止を解除し、直動弁１５３ｂを制御することができる。
【００５４】
さらに、操作ハンドル１４０を進退操作して第三の吐水形態を選択した際に直動弁１５３ｂが、流入口１５２ａを封止することにより、給水孔１５１ａから第三の吐水孔１３０へと連通する流路が形成されて、この流路内を水が流れるため、この流路内の水圧によって第三の吐水形態を維持することができる。
【００５５】
本発明は、第一吐水孔から第一の吐水形態を吐水し、第二吐水孔から第二の吐水形態を吐水し、第三吐水孔から使用者の頭上へと第三の吐水形態を吐水する吐水装置であって、前記いずれかの吐水形態を選択可能である吐水形態選択部材と、前記第一吐水孔と前記第二吐水孔と前記第三吐水孔とが接続され前記吐水形態選択部材の選択に応じて前記第一吐水孔と前記第二吐水孔と前記第三吐水孔とのいずれかと連通して流路を形成する流路形成部材とを備え、前記吐水形態選択部材が、前記第一吐水孔と前記第二吐水孔と前記第三吐水孔とのいずれからも吐水されていない止水状態において前記第三の吐水形態の選択を禁止する禁止手段を有していると共に、前記吐水形態選択部材により前記止水状態から前記第一の吐水形態または前記第二の吐水形態が選択された後に、前記禁止手段による禁止が解除され、使用者の頭上への吐水やそれ以外の使用者の意図する部部分への吐水などの様々な吐水形態を提供することができるばかりでなく、吐水開始時に使用者の頭上へ予期しない温度の水が予期せずに吐水されることを抑制すると共に、使い勝手の優れた吐水装置を提供することができるものであれば、その具体的な実施態様は、如何なるものであっても構わない。
例えば、第三の吐水形態が使用者の頭上へと吐水するものであれば、第一の吐水形態および第二の吐水形態の種類が限定されるものではなく、カランからの吐水であってもよい。
また、第三の吐水形態への選択方法として、第一実施形態では操作ハンドルを前方へ引くものとしたが、操作ハンドルを後方へ押すものであってもよい。
また、本発明は吐水形態選択部材として回転式の回転ハンドルを用いたが、シングルレバー水栓で用いられるシングルレバーのようなものであってもよい。
【符号の説明】
【００５６】
１００    ・・・  吐水装置
１１０    ・・・  第一吐水孔
１２０    ・・・  第二吐水孔
１３０    ・・・  第三吐水孔
１４０    ・・・  操作ハンドル（吐水形態選択部材）
１４１    ・・・  操作ハンドル基部
１４２    ・・・  把持部
１４３    ・・・  凸部（禁止手段）
１４３ａ  ・・・  凸部接触面
１５０    ・・・  流路形成部材
１５１    ・・・  ケーシング
１５１ａ  ・・・  給水孔
１５１ｂ  ・・・  第一通水孔
１５１ｃ  ・・・  第二通水孔
１５１ｄ  ・・・  第三通水
１５２    ・・・  回動弁
１５２ａ  ・・・  流入口
１５３    ・・・  連結軸
１５３ａ  ・・・  抜け止めピン
１５３ｂ  ・・・  直動弁
１５４    ・・・  挿入部
１５４ａ  ・・・  突起
ＢＳ      ・・・  ボディシャワー
Ｃ        ・・・  カバー
ＣＷ      ・・・  冷水
ＣＷＳ    ・・・  冷水源
ＨＳ      ・・・  ハンドシャワー
ＨＷ      ・・・  温水
ＨＷＳ    ・・・  温水源
ＭＷ      ・・・  湯水混合水
ＯＨＳ    ・・・  オーバーヘッドシャワー
Ｐ        ・・・  回転軸
Ｔ        ・・・  外観部材
ＴＨ      ・・・  温調ハンドル
【図１】
0006508608.tif 000002
【図２】
0006508608.tif 000003
【図３】
0006508608.tif 000004
【図４】
0006508608.tif 000005
【図５】
0006508608.tif 000006
【図６】
0006508608.tif 000007
【図７】
0006508608.tif 000008
【図８】
0006508608.tif 000009
【図９】
0006508608.tif 000010
【図１０】
0006508608.tif 000011